(57)【要約】【課題】カメラの手ぶれによる画質劣化を低減する画像安定化機能の動作状態に応じて、より高画質が得られるように写真撮影時のカメラの設定をする。【解決手段】デジタルカメラ１００は、露光動作中にカメラが動くことによって生ずる像のぶれを低減するようにセンサアレイ１０３または撮影レンズ１０１を動かす画像安定化ブロック１１４を有する。ロジック１１０は、画像安定化ブロック１１４が作動する状態にあるか作動しない状態にあるかを検出し、その検出結果に基づいて露光時間、絞りサイズ、センサアレイ１０３から出力される画像信号を増幅する際の利得等を調節して、手ぶれによる画質への影響が少なく、かつ適切な被写界深度や、ノイズの少ない画像が得られるようにする。【選択図】図１
2006227613.tif 000002
【特許請求の範囲】
【請求項１】
カメラの画像安定化機能がイネーブルされているか否かを検出することと、
前記画像安定化機能がイネーブルされている場合に、前記カメラで使用する露光プログラムとして第１の露光プログラムを自動的に選択することと、
前記画像安定化機能がディセーブルされている場合に、前記カメラで使用する露光プログラムとして第２の露光プログラムを自動的に選択することと、
を含むことを特徴とする方法。
【請求項２】
設定されている撮影モードを検出することと、
前記撮影モードの設定に基づいて前記露光プログラムを自動的に選択することと、
をさらに含むことを特徴とする、請求項１に記載の方法。
【請求項３】
前記カメラに記憶されている露光プログラムテーブルから少なくとも１つの撮影設定値を選択することをさらに含むことを特徴とする、請求項１に記載の方法。
【請求項４】
シーンの特性を測定することと、
前記シーンの特性の測定に基づいて、前記露光プログラムテーブルの中から前記撮影設定値を見つけることと、
をさらに含むことを特徴とする、請求項３に記載の方法。
【請求項５】
前記シーンの特性は、前記シーンの輝度であることを特徴とする、請求項４に記載の方法。
【請求項６】
カメラの画像安定化機能がイネーブルされているか否かを検出することと、
前記画像安定化機能の状態に基づいて、少なくとも１つの撮影設定の値を自動的に選択することと、
を含むことを特徴とするカメラの動作方法。
【請求項７】
前記撮影設定のそれぞれは、露光時間、絞りサイズ、利得、及び写真撮影の際にフラッシュ照明を使用すべきか否か、から成る撮影設定の群から選択されることを特徴とする、請求項６に記載のカメラの動作方法。
【請求項８】
シーンを評価することと、
前記シーンの評価に基づいて前記撮影設定の値を自動的に選択することと、
をさらに含むことを特徴とする、請求項６に記載のカメラの動作方法。
【請求項９】
前記シーンを評価することは、前記シーンの輝度を測定することを含むことを特徴とする、請求項８に記載のカメラの動作方法。
【請求項１０】
カメラの画像安定化機能がイネーブルされているか否かを検出することと、
レンズの焦点距離を検出することと、
前記画像安定化機能の状態及び前記レンズの焦点距離に基づいて、露光プログラムを自動的に選択することと、
を含むことを特徴とするカメラの動作方法。
【請求項１１】
カメラの画像安定化機能がイネーブルされているか否かを検出することと、
レンズの焦点距離を検出することと、
前記画像安定化機能の状態及び前記レンズの焦点距離に基づいて、１つ又は複数の撮影設定の値を自動的に選択することと、
を含むことを特徴とするカメラの動作方法。
【請求項１２】
前記撮影設定のそれぞれは、露光時間、絞りサイズ、利得、及び写真撮影の際にフラッシュ照明を使用すべきか否か、から成る撮影設定のセットから選択されることを特徴とする、請求項１１に記載のカメラの動作方法。
【請求項１３】
カメラであって、
イネーブル設定及びディセーブル設定が可能な画像安定化機能と、
前記画像安定化機能の設定状態を検出し、検出された状態に基づいて露光プログラムを自動的に選択するように構成されるロジックと、
を備えることを特徴とするカメラ。
【請求項１４】
カメラであって、
前記ロジックはさらに、撮影モードの設定を検出し、前記撮影モードの設定内容に基づいて露光プログラムを自動的に選択するように構成されることを特徴とする、請求項１３に記載のカメラ。
【請求項１５】
カメラであって、
前記状態のそれぞれ毎に少なくとも１つの露光プログラムテーブルを保持する記憶装置をさらに備え、前記露光プログラムテーブルのそれぞれは、露光プログラムを実施するための撮影設定値を含むことを特徴とする、請求項１４に記載のカメラ。
【請求項１６】
カメラであって、
前記露光プログラムテーブルのそれぞれのエントリには、シーン輝度値が見出しとして付されることを特徴とする、請求項１５に記載のカメラ。
【請求項１７】
カメラであって、当該カメラがデジタルカメラであることを特徴とする請求項１３に記載のカメラ。
【請求項１８】
カメラであって、
イネーブル設定及びディセーブル設定が可能な画像安定化機能と、
前記画像安定化機能の設定状態を検出し、検出された状態に基づいて少なくとも１つの撮影設定値を自動的に選択するように構成されるロジックと、
を備えることを特徴とするカメラ。
【請求項１９】
カメラであって、
自動的に選択される前記撮影設定値のそれぞれは、露光時間、絞りサイズ、利得、及び写真撮影の際にフラッシュ照明を使用すべきか否か、のうちのいずれかであることを特徴とする、請求項１８に記載のカメラ。
【請求項２０】
カメラであって、シーンを評価するようにさらに構成され、
前記ロジックはさらに、前記シーンの評価結果に基づいて少なくとも１つの撮影設定値を自動的に選択するように構成されることを特徴とする、請求項１８に記載のカメラ。
【請求項２１】
カメラであって、前記シーンの輝度を測定することによって前記シーンを評価するように構成されることを特徴とする、請求項２０に記載のカメラ。
【請求項２２】
カメラであって、
イネーブル設定及びディセーブル設定が可能な画像安定化機能と、
２つ以上の焦点距離に設定可能なレンズと、
前記画像安定化機能の設定状態及び前記レンズで設定された焦点距離を検出するように構成され、前記画像安定化機能の設定状態及び前記レンズで設定された焦点距離に基づいて露光プログラムを自動的に選択するようにさらに構成される、ロジックと、
を備えることを特徴とするカメラ。
【請求項２３】
カメラであって、
イネーブル設定及びディセーブル設定が可能な画像安定化機能と、
２つ以上の焦点距離に設定可能なレンズと、
前記画像安定化機能の設定状態及び前記レンズで設定された焦点距離を検出するように構成され、前記画像安定化機能の設定状態及び前記レンズで設定された焦点距離に基づいて撮影設定値を自動的に選択するようにさらに構成される、ロジックと、
を備えることを特徴とするカメラ。
【発明の詳細な説明】
【技術分野】
【０００１】
本発明は、包括的には写真撮影法に関し、特に露光プログラムに関する。
【背景技術】
【０００２】
近代の多くのカメラは自動露光機能を備えている。通常、自動露光システムは撮影中のシーンの輝度を測定し、カメラフィルム（カメラがフィルムカメラの場合）又はセンサ（カメラがデジタルカメラの場合）の感度を考慮して特定の写真撮影をする際のカメラ設定を選択する。選択される設定には、たとえば、フィルム又はセンサをシーンからの光に露出させる時間の長さ（露光時間）、露光中に使用するレンズ絞りのサイズ、及び補足的なフラッシュ照明又はストロボ（登録商標）照明を使用するか否かが含まれ得る。カメラがデジタルカメラである場合、設定には、デジタル写真を表す信号すなわちデジタル値に適用される利得も含まれ得る。この利得は、カメラのセンサの感度を変更するものと考えることができる。
【０００３】
シーン輝度は輝度値（ＢＶ）により記述することができ、輝度値は、フートランバート単位で測定されるシーン輝度（被写体輝度）の底が２の対数として定義される。特定のシーン輝度には、適正露光された写真を生成することができる多くのカメラ設定選択肢があってもよい。たとえば、ＩＳＯ１００フィルム又は等価のデジタルセンサ感度を用いて陰になっている被写体の写真を撮影する場合、以下の表１に示す露光時間と絞りサイズのいずれの組み合わせも、適正露光された写真を生成することができ、また同様に他の組み合わせも可能である。絞りサイズ（Ｆ値）はレンズ焦点距離ｆの関数として与えられる。
【０００４】
【表１】
2006227613.tif 000003
【０００５】
設定の組み合わせの中から選択するのにカメラを用いるルールセットは時に露光プログラムと呼ばれる。カメラは、いくつかの設定モード毎に別個の露光プログラムを有し得る。たとえば、カメラは、離れたところにあり、且つ静止している写真被写体に適切な設定を選択する「風景」モード、及び人物写真の撮影に適切な設定を選択する「ポートレート」モードを有し得る。多くの場合、他のモードも同様に含められる。設定は露光プログラムテーブルのセットとして記憶することができる。
【発明の開示】
【発明が解決しようとする課題】
【０００６】
本発明の課題は、カメラで設定されたモードおよび被写体の輝度に応じて、手ぶれの影響が減じられ、かつ撮影者の撮影意図に応じた撮影結果が得られるようにすることにある。
【課題を解決するための手段】
【０００７】
（１）  本発明は、カメラの画像安定化機能がイネーブルされているか否かを検出することと、前記画像安定化機能がイネーブルされている場合に、前記カメラで使用する露光プログラムとして第１の露光プログラムを自動的に選択することと、前記画像安定化機能がディセーブルされている場合に、前記カメラで使用する露光プログラムとして第２の露光プログラムを自動的に選択することとを有することにより上述した課題を解決する。
（２）  本発明はまた、カメラの画像安定化機能がイネーブルされているか否かを検出し、前記画像安定化機能がイネーブルされているかディセーブルされているかによって、露光時間、絞りサイズ、利得、及び写真撮影の際にフラッシュ照明を使用すべきか否か、などの撮影設定の中から所定のものを選択することも可能である
【発明を実施するための最良の形態】
【０００８】
「全自動（point and shoot  ＝  カメラを被写体に向けて撮るだけ）」のデジタルカメラにおいて「風景」モードに設定された例の略記した露光プログラムテーブルの例を以下の表２に示す。表２を構築するに際して、カメラは画像安定化機能（露光中にカメラが動いてしまうことにより生ずるブレを軽減する機能）を有していないものと仮定した。露光プログラムテーブルは、特定の露光プログラムを実施するために使用される複数の撮影設定値を含む。表２のエントリにはシーン（被写体）輝度値ＢＶが見出しとして付されている。すなわち、エントリは、シーン輝度値を参照して表中に配置されている。写真を撮影するに際して、カメラ例はＢＶを測定し、次いで、そのときのカメラの撮影モードに適切な露光プログラムテーブルからカメラ設定を選択する。
【０００９】
【表２】
2006227613.tif 000004
【００１０】
表２は、カメラ設計者により行われたいくつかの判断を反映している。これは一般の撮影者が使用する傾向が高い「全自動」カメラであるため、露光時間は、可能な限り常に、カメラが手持ちの場合であってもカメラが比較的シャープな写真を撮影できるようにするのに十分短く選択される。この例では、露光時間１／６０秒がこの目標を達成するものと仮定される。これは風景モード用のテーブルであるため、設定は、生成される写真の被写界深度を最大にするように選択される。すなわち、手持ち操作が可能な範囲で最小のレンズ絞りが選択される。風景被写体はカメラから離れている可能性が高いため、テーブルは、フラッシュが離れたところにある被写体に対しては効果がないという仮定の下に、被写界光（環境光）の補足にフラッシュ照明を使用しないことを示す。そして最後に、ＩＳＯ感度単位で等価的に与えられる利得係数が、生成される写真での画像ノイズを最小に抑えるために低い利得値ほど優先しながら、最大被写界深度で満足のいく手持ち式カメラ動作を提供するという目標を進めるように選択される。たとえば、ＢＶ６の場合、設計者は、露光時間１／１２５秒と絞りｆ／４．０を選択することができたが、それに代えて、被写界深度を最大にする（できるだけ大きく）ために露光時間１／６０秒とより小さなレンズ絞りの組み合わせを選択している。これは、露光時間１／６０秒がカメラの手持ちが可能な程度の速度であろうと判断されたためである。同様に、ＢＶ２の場合、設計者は、露光時間１／３０秒とＩＳＯ感度２００を選択することができたが、代わりに、カメラのブレによる画像のブレを最小に抑えるように、より高い利得設定により画像ノイズが増えることを犠牲にしてより短い露光時間の組み合わせを選択している。
【００１１】
カメラは、「ポートレート」モードに設定されるときには異なる露光プログラムテーブルを使用することができる。たとえば、以下の表３のテーブルを使用することができる。
【００１２】
【表３】
2006227613.tif 000005
【００１３】
表３もまた、カメラの設計者により行われたいくつかの判断を反映している。ここでも、設定は、カメラを確実に手持ちできる程度に露光時間が短いように選択されている。これは、写真被写体がカメラに対して比較的近い傾向がある場合に使用されるテーブルであるため、補足的なフラッシュ照明が有効である可能性が高く、比較的短い露光時間を維持することができるように暗めのシーンの場合にイネーブル（動作可能に設定）される。明るめのシーンの場合、設定は、生成される写真の被写界深度が最小になるように選択される。一般にこれは、可能な限り常に大きな（開放に近い側の）レンズ絞り使用を優先することを意味する。たとえば、ＢＶ５の場合、設計者は露光時間１／６０秒及びレンズ絞りｆ／４．０を選択することができたが、それに代えて、より大きな（開放側の）レンズ絞りの組み合わせを選択している。同様に、非常に明るいシーンについて、設計者は、レンズ絞りサイズを低減するのではなく、短い露光時間及び低いＩＳＯ感度を用いて露光を制御するほうを選んでいる。ＢＶ１１では、最短露光時間及び最低ＩＳＯ感度がすでに使用されているため、レンズ絞りをｆ／４．０に低減することが必要になる（この仮定的なカメラ例の場合）。
【００１４】
本発明の実施形態例により構築されるカメラは、画像安定化機能を備え、画像安定化機能がイネーブル（動作可能に設定）されているときには、画像安定化機能がディセーブル（動作不能に設定）されているときに選択されるものと異なる露光プログラムを使用するものとして選択する。好ましくは、各露光プログラムの設定は露光プログラムテーブルに記憶され、少なくとも２つの露光プログラムテーブル、すなわち画像安定化がイネーブルされているときに使用するテーブル及び画像安定化がディセーブルされているときに使用するテーブルが各モードに提供される。
【００１５】
画像安定化機能は、望ましくないカメラの動きに起因する画像アーチファクト（望ましくないカメラの動きによってもたらされる画質劣化）の回避を助ける。写真露光中に発生するカメラのピッチ回転及びヨー回転は、その動きにより特定のシーンロケーションからの光がカメラのフィルム又はセンサ上の範囲のロケーションにわたって「スミア」（にじみ）を発生させるため、写真にブレを生じさせることがある。このような動きは多くの場合、カメラが手持ちである場合に発生する。通常、画像安定化システムでは、カメラのピッチ回転及びヨー回転が感知され、カメラの光学要素がこれらの回転の影響を打ち消すように動かされ、それ故、特定のシーンロケーション中の特定部位からの光は露光動作中の全ての時間にわたってカメラのフィルム又はセンサ上の実質的に同じロケーションに到達する。可動光学要素はレンズ要素、デジタルカメラのセンサ、又は他の或る光学要素であることができる。本発明の実施形態例によるカメラでは、画像安定化機能はディセーブル又はイネーブルすることができる。
【００１６】
画像安定化機能は、イネーブルされているとき、撮影者がカメラを手持ちし、画像安定化システムがない場合に可能な露光時間よりも長い露光時間でブレのない写真を信頼的に（安定して）撮影できるようにする。従来の３５ｍｍフィルムを使用する撮影者の既知の経験則によれば、手持ちのカメラを使用してブレのない写真が撮影される可能性の高い、秒単位で測定される最長露光時間は、ｍｍ単位で測定されるレンズ焦点距離の逆数である。たとえば、焦点距離６０ｍｍのレンズを使用する場合、撮影者には、１／６０秒を超える露光時間のいずれの写真撮影に対してもカメラを手持ちしないことが推奨される。画像安定化システムは、手持ちで信頼的に撮影することができる露光時間の範囲を写真撮影の「目盛り」２つ又は３つ分（露光時間の設定で２〜３段分）拡張することができる。各露光時間の２倍の変更が１目盛りを表すため、画像安定化システムは、画像安定化システムが使用されない場合よりも４〜８倍長い露光時間での手持ち写真を可能にすることができる。
【００１７】
図１は、本発明の実施形態例によるデジタルカメラ１００の簡易ブロック図を示す。レンズ（撮影レンズ）１０１がシーンから出る光を集め、シーンの画像が電子光センサアレイ１０３上に投影されるように光１０２の方向を変える。電子光センサアレイ１０３は、「ＣＣＤアレイ」、「ＣＣＤセンサ」、又は単に「ＣＣＤ」と一般に呼ばれる電荷結合素子アレイであることができる。別法として、電子光センサアレイ１０３は、相補型金属酸化膜半導体技術を用いて構築された能動ピクセルアレイであることができる。このようなセンサは「能動ピクセルアレイセンサ」、「ＣＭＯＳセンサ」、又は別の同様の名称で呼ばれ得る。他のセンサ技術も可能である。電子光センサアレイ１０３上の感光素子は一般に、各素子すなわち「ピクセル」が１シーンロケーションに対応するように規則正しい矩形アレイに配置される。
【００１８】
画像データ信号１０４がロジック１１０に渡される。ロジック１１０は画像データ信号１０４を解釈して、「デジタル画像」と呼ばれる数値表現に変換する。デジタル画像は、シーン又は写真の対応するロケーションの輝度、色、又はこれら両方を表す数値の規則正しい配列である。ロジック１１０は、カメラで撮影されるデジタル画像を、適正露光が得られるように解析する、カメラ設定を調整する、デジタル画像に対してデジタル処理を行う、デジタル画像の記憶、検索、及び表示を管理する、カメラのユーザによる入力を受け付ける、及び他の機能等といった、他の機能も同様に行うことができる。ロジック１１０はまた、制御信号１０５を通して電子光センサアレイ１０３を制御する。ロジック１１０は、マイクロプロセッサ、デジタル信号プロセッサ、専用ロジック、又はこれらの組み合わせを含むことができる。
【００１９】
記憶装置１１１は、カメラにより撮影されたデジタル画像、並びにカメラ設定情報、ロジック１１０用のプログラム命令、及び他の項目を記憶するためのメモリを含む。ユーザ操作部１１２により、カメラのユーザはカメラの構成及び操作を行うことができ、ユーザ操作部１１２には、ボタン、ダイアル、スイッチ、又は他の操作用装置が含まれ得る。カメラにより撮影されたデジタル画像を表示するため、並びにカメラのユーザインタフェースとしてユーザ操作部１１２と併せて使用するために、ディスプレイ１０９を設けることができる。フラッシュ１０６により、ロジック１１０により制御されるフラッシュ電子回路１０８の制御下でシーンに補助光１０７を提供することができる。ロジック１１０はまた、レンズ１０１を制御する制御信号１１３を有することもできる。たとえば、ロジック１１０はレンズ１０１のフォーカスを調整することができ、レンズ１０１がズームレンズである場合には、レンズ１０１のズーム位置を制御することができる。
【００２０】
ロジック１１０により制御される画像安定化ブロック１１４が、カメラの動きに応答してセンサ１０３を動かす。画像安定化ブロック１１４はロジック１１０から制御情報を受け取り、状態情報又は他のデータをロジック１１０に伝えることができる。
【００２１】
カメラ例１００はデジタルカメラであり、センサをレンズに対して移動させることにより画像安定化を実現するが、本発明は他のタイプのカメラでも同様に具現できることを当業者は認識しよう。たとえば、本発明の実施形態例によるカメラはフィルムカメラであってもよい。同様に、本発明の実施形態例によるカメラは、レンズ要素を移動させることにより、又は別の方法で画像安定化を実現してもよい。
【００２２】
好ましい実施形態では、カメラ１００のユーザは、ユーザ操作部１１２の１つを使用して、画像安定化ブロック１１４により行われる画像安定化をイネーブル又はディセーブルする。ロジック１１０は、画像安定化がイネーブルされているかそれともディセーブルされているかを検出し、その指示に基づいて利用可能な露光プログラムのセットから露光プログラムを選択する。さらに、カメラユーザは、ユーザ操作部１１２の１つを使用して、風景モード、ポートレートモード、又はアクションモード等の写真モードを選択することができる。ロジック１１０はどのモードが選択されているかを検出し、モード指示（設定されたモード）に基づいて露光プログラムを選択する。
【００２３】
好ましい実施形態では、露光プログラムは、記憶装置１１１に記憶される露光プログラムテーブルとして記述される。たとえば、記憶装置１１１は、各写真モード毎に、２つの露光プログラムテーブル、すなわち画像安定化がイネーブルされているときに使用するテーブル及び画像安定化がディセーブルされているときに使用するテーブルを含むことができる。
【００２４】
本開示では、露光プログラムや撮影設定値等の選択対象項目は、撮影モードの設定あるいはシーン輝度等の「基底を成す指標」（判断基準となる指標）が選択対象項目を選択する際の基準の一部となっている場合に、この「基底を成す指標」に「基づいて」選択されるというものである。常にではないが多くの場合、この「基底を成す指標」が第１の値となっているときに選択対象項目には第１の値（ある値）が選択されることになり、「基底を成す指標」が第２の値となっているときに選択対象項目には第２の値（別の値）が選択されることになる。選択対象項目は、２つ以上の「基底を成す指標」に基づいて選択されるものであってもよい。たとえば、選択対象項目の一例である露光プログラムテーブルはカメラの画像安定化機能の状態及びモード設定に基づいて選択され得る一方で、選択対象項目の他の例である特定の撮影設定値はシーン輝度に基づいて露光プログラムテーブルから選択され得る。
【００２５】
画像安定化がディセーブルされ、カメラが風景モードである場合に使用される露光プログラムテーブルの例を上の表２に与えた。画像安定化がイネーブルされている場合に使用される風景モード露光プログラムテーブルの例を以下の表４に与える。
【００２６】
【表４】
2006227613.tif 000006
【００２７】
画像安定化ありのテーブルとなしのテーブルとの相違に関しては、ある特定のカメラに対する画像安定化システムの効果（改善効果）及びカメラ設計者の判断に依存する。カメラ例１００に使用するために表４を構築するに当たり、画像安定化システム１１４がカメラ１００の使用可能な手持ち範囲をおよそ３目盛り（３段）分拡張することができるものと仮定した。すなわち、画像安定化がイネーブルの状態では、カメラ１００は、（画像安定化がディセーブルされていた場合の１／６０秒と比較して）約１／８秒の長さの露光時間中、手持ちして写真を信頼的に撮影することができる。表４の例では、設計者は、風景モードにおいて拡張された被写界深度を提供するという目標を進めるために、表２において選択したものよりも輝度値範囲０〜６に小さな絞りサイズ（小絞り）を選択している。設計者は、画像安定化システム１１４に頼り、対応する露光時間を延ばし、生成される写真の動きブレを最小に抑えることができる。
【００２８】
輝度値４についてのテーブルエントリに特に注目する。表２と比較して、表４中の設定値は、より長い露光時間、より小さいレンズ絞り、及びより低い利得を示す。カメラ設計者は、画像安定化がイネーブルされている場合、画像安定化により提供される増大した柔軟性を利用し、より小さなレンズ絞りを使用することによって写真の被写界深度を増大させ、また、生成される写真のノイズが低減するようにより小さな利得値を用いることによって写真の品質を向上させている。他の設定値選択肢も可能である。
【００２９】
さらなる例として、以下の表５は、画像安定化がイネーブルされているときのポートレートモードで使用される露光プログラムテーブルの例である。
【００３０】
【表５】
2006227613.tif 000007
【００３１】
上の表３と比較して、表５では、カメラ設計者は、カメラを信頼的に手持ちすることができるシーン輝度範囲の増大を利用して、比較的暗いシーンでの画像ノイズの改良につながる利得設定を提供している。さらに、設計者は、カメラのフラッシュ又はストロボ照明をイネーブルすることなく写真撮影される条件範囲を拡張している。他の設定の組み合わせも同様に可能である。
【００３２】
上記例において説明したように、１つ又は複数の撮影設定の値は、カメラの画像安定化機能の状態（イネーブル又はディセーブル）に基づいて選択することができる。値が選択される設定（選択対象となる設定）には、露光時間、絞りサイズ、利得、補足的なフラッシュ照明を使用するか否か、又は他の設定（単独で、又は任意の組み合わせで）が含まれ得る。
【００３３】
本発明の別の実施形態例によれば、カメラ１００のレンズ１０１はズームレンズであり、カメラ１００は画像安定化機能１１４がイネーブルされているか否かを検出し、レンズ１０１の焦点距離を検出し、レンズの焦点距離及び画像安定化機能の状態に基づいて１つ又は複数の撮影設定の値を自動的に選択する。本開示では、レンズの焦点距離を検出することは、レンズの焦点距離に応答するポテンショメータ又はエンコーダ等のセンサの示す値を読むことによって実現することができる。別法として、レンズ１０１の焦点距離は、たとえばレンズの焦点距離がユーザ操作部１１２に応答してロジック１１０により調整される場合、指示された焦点距離を追跡することにより、又はレンズ１０１の１つ又は複数の要素の指示された位置を追跡することにより検出することができる。
【００３４】
以下の表６及び表７は、カメラのレンズが上の表２及び表４に仮定したよりも長い焦点距離に設定される場合に使用することができる風景モード露光プログラムテーブル例である。表６は画像安定化がディセーブルされているときに使用されるように設計され、表７は画像安定化がイネーブルされているときに使用されるように設計されている。露光時間１／１２５秒は、画像安定化が使用されないときにカメラを手持ちできるようにするのに十分な速さであるものと仮定する。可能な場合、カメラ設計者は、カメラを手持ちで操作できるように露光時間１／１２５秒以下を保つテーブルエントリを選択し、生成される写真の被写界深度を最大にする可能性の高い絞り及び利得設定を選択している。
【００３５】
【表６】
2006227613.tif 000008
【００３６】
表７では、画像安定化により、設計者は、表６中の設定と比較して、より暗いシーンに対してより小さなレンズ絞り設定及び／又はより低い利得設定を維持することができる。画像安定化は信頼できる手持ち範囲を写真目盛り約３つ分拡張し、それ故、カメラを約１／１５秒の長さの露光時間、手持ちすることができるものと仮定する。
【００３７】
【表７】
2006227613.tif 000009
【００３８】
表２、表４、表６、及び表７を併せて用いる場合、露光プログラム又は露光プログラムテーブルを、現在の写真モード、画像安定化がイネーブルされているかそれともディセーブルされているか、レンズの焦点距離、又はこれら「基底を成す指標」の任意の組み合わせに基づいて選択することができる。露光時間等の特定の撮影設定値が、現在の写真モード、画像安定化がイネーブルされているかそれともディセーブルされているか、レンズの焦点距離、シーンの輝度、又はこれらの任意の組み合わせに基づいて選択される。
【００３９】
図２は、本発明の実施形態例による方法のフローチャート２００を示す。ステップ２０１において、カメラの画像安定化機能の現在状態が検出される。判断ブロック２０２において、画像安定化機能の状態に基づいて判断が行われる。機能がイネーブルされている場合、制御はブロック２０３に渡り、第１の露光プログラムが選択される。機能が選択されていない場合、制御はブロック２０４に渡り、第２の露光プログラムが選択される。
【００４０】
図３は、露光プログラムがカメラの画像安定化機能の状態及び写真モードの両方に基づいて選択される、本発明の別の実施の形態に係る方法のフローチャート３００を示す。ステップ３０１において、画像安定化機能の状態が検出される。ステップ３０２において、撮影モードの設定が検出される。ステップ３０３において、画像安定化がイネーブルされており、且つ風景モードが選択されている場合、制御はステップ３０４に渡り、第１の露光プログラムが自動的に選択される。そうでない場合、制御はステップ３０５に渡る。ステップ３０５において、画像安定化がディセーブルされており、且つカメラが風景モードである場合、制御はステップ３０６に渡り、第２の露光プログラムが自動的に選択される。そうでない場合、制御はステップ３０７に渡る。ステップ３０７において、画像安定化がイネーブルされており、且つカメラがポートレートモードである場合、制御はステップ３０８に渡り、第３の露光プログラムが自動的に選択される。そうでない場合、制御はステップ３０９に渡る。ステップ３０９において、画像安定化がディセーブルされており、カメラがポートレートモードである場合、制御はステップ３１０に渡り、第４の露光プログラムが自動的に選択される。図３のフローチャートは、必要に応じて、他の写真モードに対応する、又はいずれの露光プログラムが選択され得るかのベースとなる他の「基底を成す指標」を包含するように拡張することが可能である。
【００４１】
図４は、少なくとも１つの撮影設定値が画像安定化機能の状態に基づいて自動的に選択される、本発明の別の実施形態例による方法のフローチャート４００を示す。ステップ４０１において、画像安定化機能の状態が、イネーブルであるかディセーブルであるかが検出される。ステップ４０２において、検出された状態に基づいて少なくとも１つの撮影設定値が自動的に選択される。
【図面の簡単な説明】
【００４２】
【図１】本発明の実施の形態に係るデジタルカメラの簡易ブロック図を示す。
【図２】本発明の実施の形態に係る方法のフローチャートを示す。
【図３】露光プログラムがカメラの画像安定化機能の状態及び写真モードの両方に基づいて選択される、本発明の別の実施の形態に係る方法のフローチャートを示す。
【図４】少なくとも１つの撮影設定値が画像安定化機能の状態に基づいて自動的に選択される、本発明の別の実施の形態に係る方法のフローチャートを示す。
【符号の説明】
【００４３】
１００  デジタルカメラ
１０１  レンズ（撮影レンズ）
１０３  電子光センサアレイ
１０８  フラッシュ電子回路
１０９  ディスプレイ
１１０  ロジック
１１１  記憶装置
１１２  ユーザ操作部
１１４  画像安定化ブロック
【図１】
2006227613.tif 000010
【図２】
2006227613.tif 000011
【図３】
2006227613.tif 000012
【図４】
2006227613.tif 000013